(57)【要約】 【課題】  ランプユニットの取付時における光源の破損を防止すること、およびランプユニットの取付時において、感電を防止することが可能なランプユニットおよびこれを用いた照明装置を提供する。【解決手段】  このランプユニット７０は、表面から発光する平面型放電管７６の裏面を両面テープを介してシャーシ７１の内面に配置し、平面型放電管７６の表面側を覆う透光性を有するレンズ７７をシャーシ７１の側面に固定設置する。また、このランプユニット７０にカバー１０１を取り付けることによって照明装置とすることができる。【選択図】          図７
2010003664.tif 000002
【特許請求の範囲】
【請求項１】
表面から発光する薄型発光体の裏面を接合剤層を介して、または、裏面を直接、密着して筐体の内面に配置したランプユニットであって、
透光性を有するレンズを前記薄型発光体の表面側を覆うように設けるとともに、
当該レンズを前記筐体に固定設置する、ことを特徴とするランプユニット。
【請求項２】
前記筐体のうち内面を構成する部材は放熱用部材であって、
前記薄型発光体の裏面を接合剤を介して前記筐体の内面に配置する場合には、その接合剤が熱伝導性部材であること、を特徴とする請求項１に記載のランプユニット。
【請求項３】
前記薄型発光体は、平面型放電管であって、
前記レンズには、前記平面型放電管の給排気管を覆うための保護カバー部を備える、ことを特徴とする請求項１〜２のいずれかに記載のランプユニット。
【請求項４】
前記平面型放電管の裏面には、薄膜状電極が形成されるとともに、当該薄膜状電極は前記平面型放電管に加圧される電圧の低圧側とされる、ことを特徴とする請求項３に記載のランプユニット。
【請求項５】
請求項１〜４に記載のいずれかのランプユニットと、
前記薄型発光体と電気的に接続することによって、前記ランプのランプユニットの内部、あるいは外部に設けられた同発光体を点灯するための点灯用回路と、
前記ランプユニットを覆うカバー体と、
を備えた照明装置。
【発明の詳細な説明】
【技術分野】
【０００１】
本発明は、ランプユニットおよびこれを用いた照明装置に関し、例えば家庭用・業務用・工業用等の各種製品に搭載され、照明装置用の発光素子として利用されるランプユニットおよびこれを用いた照明装置に関する。
【背景技術】
【０００２】
従来、特許文献１に示される平板型照明装置（図２１参照）や、特許文献２または特許文献３に開示されている照明具用基盤（図２２および図２３参照）が知られている。これらの平板型照明装置や照明具用基盤では、平面型放電管と、この平面型放電管に電気的に接続された点灯用回路基板とを、シャーシに貼り付けることによって、薄くて取り扱いが容易なモジュールとして機能するランプユニットを構成している。
【０００３】
＜平面型放電管＞
ここで、特許文献１〜３に開示されている平面型放電管について述べておく。図２４に示すように、平面型放電管５０は、一対の誘電体平板としてのガラス板５４ａ、５４ｂを対向配置し、周囲を封止部材５３を使用して内部に密閉空間５７（放電空間）を形成した密閉容器を構成し、この空間に給排気管５６を介して希ガス等の放電ガスを封入している。密閉空間５７内には、複数の誘電体リブ５５が設けられている。この密閉容器の両外表面の各々には、一対の薄膜状の透明電極５１ａ、５１ｂが設けられている。一対のリード線５２ａ、５２ｂは、この一対の透明電極５１ａ、５１ｂと、導電体接続部５３ａ、５３ｂを介して接続固定されている。また、一方の透明電極５１ｂの上面には、図示しない薄膜の反射部材が設けられている。なお、平面型放電管５０から光が発光する発光面Ｓ（表面）とする。後述する実施形態においては、この発光面側Ｓの側が表面側となる。
【０００４】
平面型放電管５０は、有機ＥＬや導光板を利用した厚さの薄い発光体と比較して高輝度であり、しかも発光面Ｓから照射される光が均一であるなどの利点を有する。また、光源としての低温特性に優れていること、放電ガスに水銀を用いていないことなど、従来の蛍光灯と比較しても様々な長所を有している。このため、ランプユニットに応用した場合において、適用範囲が非常に大きい。
【０００５】
【特許文献１】特開２００７−１８８７７２号
【特許文献２】意匠登録公報１２８７３９９号
【特許文献３】意匠登録公報１２８７８５４号
【発明の開示】
【発明が解決しようとする課題】
【０００６】
図２２および図２３に示すような従来のランプユニット（照明具用基盤）においては、
このユニット自体が取引の対象となっており、輸送や保管に関して平面型放電管の表面が露出していることから、平面型放電管の破損を防止するためのカバー等が別途必要であった。
【０００７】
また、この照明具用基盤を天井や壁面にネジを使用して取付固定する作業を行う場合、平面型放電管を跨いでボルト締め作業を行う必要があり、乱雑に扱うとドライバ及びレンチ等の工具が平面型放電管に接触して平面型放電管が破損するおそれがあった。
【０００８】
また、平面型放電管の表面側に形成される薄膜状の透明電極が高圧側となっている場合には、ランプユニットを取付る際に誤って触れると感電するという問題があった。そこで、平面型放電管の表面側を低圧側にすると、必然的に裏面側が高圧側となる。平面型放電管の裏面側にも薄膜状電極が配置されているため、この薄膜状電極がシャーシ（金属製）と導通することになる。つまり、この場合においても、誤って金属製のシャーシに触れると感電する恐れがある。シャーシを樹脂製として絶縁することも考えられるが、平面型放電灯から放射される熱がシャーシを介して放熱されにくくなると言う問題が新たに生じることになる。
【０００９】
そこで、本発明は、ランプユニットの取付時における光源（平面型放電管）の破損を防止することが可能なランプユニットおよびこれを用いた照明装置を提供することを目的とする。これに加えて、ランプユニットの取付時において、平面型放電から放射される熱を好適に放熱するとともに、感電を防止することが可能なランプユニットおよびこれを用いた照明装置を提供することを目的とする。
【課題を解決するための手段】
【００１０】
本発明のうち、請求項１に記載のランプユニットは、  
表面から発光する薄型発光体の裏面を接合剤層を介して、または、裏面を直接、密着して筐体の内面に配置したランプユニットであって、
透光性を有するレンズを前記薄型発光体の表面側を覆うように設けるとともに、
当該レンズを前記筐体に固定設置する、ことを特徴とする。
【００１１】
本発明によれば、レンズによって薄型発光体が覆われるランプユニットとなっているので、ランプユニットの輸送時や取付時における薄型発光体の破損を防止することが可能となる。通常、レンズはカバー側に装着されるのが普通であるが、本発明ではランプユニットに取り付けることにより、取引の対象となるランプユニットを流通させる過程においても、カバー等の保護部材を別途必要となることはない。
【００１２】
また、請求項２に記載のランプユニットは、請求項１に記載のランプユニットに加えて、
前記筐体のうち内面を構成する部材は放熱用部材であって、
前記薄型発光体の裏面を接合剤を介して前記筐体の内面に配置する場合には、その接合剤が熱伝導性部材であること、を特徴とする。
【００１３】
この発明によれば、薄型発光体の裏面を熱伝導性の接合剤層を介して、または、裏面を直接、密着して筐体の内面である放熱用部材に配置しているので、薄型発光体から放射される熱を熱伝導によって放熱用部材に伝えることができるため、好適に放熱させることができ、その結果、薄型発光体の表面温度を低下させることが可能となる。ひいては、薄型発光体の表面に触れても火傷等の心配はなく安全を保つことが可能となる。
【００１４】
また、請求項３に記載のランプユニットは、請求項１〜２のいずれかに記載のランプユニットに加えて、
前記薄型発光体は、平面型放電管であって、
前記レンズには、前記平面型放電管の給排気管を覆うための保護カバー部を備える、
ことを特徴とする。
【００１５】
この発明によれば、ランプユニットの輸送時や取付時における平面型放電管の給排気管の破損を防止することが可能となる。
【００１６】
また、薄膜状電極を外面に形成する平面型放電管を用いた場合には、発光面側となる薄膜状電極が高圧側である場合には、誤って放熱用部材に触れると感電の恐れがある。この発明によれば、レンズが設けられているために、人が誤って直接、平面型放電管の薄膜状電極に触れることができないため、感電事故を未然に防止できる。
【００１７】
また、平面型放電管は、有機ＥＬや導光板を利用した厚さの薄い発光体と比較して高輝度であり、しかも発光面から照射される光が均一であるなどの利点を有するため、各種の照明装置の一部品としてのランプユニットに利用できるという利点がある。また、光源としての低温特性に優れていること、放電ガスに水銀を用いていないことなど、従来の蛍光灯と比較しても様々な長所を有しているため、ランプユニットに応用した場合において、適用範囲が非常に大きい。
【００１８】
また、請求項４に記載のランプユニットは、請求項３に記載のランプユニットに加えて、
前記平面型放電管の裏面には、薄膜状電極が形成されるとともに、当該薄膜状電極は前記平面型放電管に加圧される電圧の低圧側とされる、ことを特徴とする。
【００１９】
平面型放電管の裏面を前記放熱用部材の表面に接触しているため、放熱用部材に金属板を用い、薄膜状電極を外面に形成する平面型放電管を用いた場合には、この薄膜状電極と前記放熱用部材が電気的に導通することになる。このとき、この薄膜状電極が高圧側である場合には、誤って放熱用部材に触れると感電の恐れがある。この発明によれば、放熱用部材と接触する面側における平面型放電管の薄膜状電極を低圧側とすることによって、人が誤って前記放熱用部材に触れても感電しないようにすることができる。
【００２０】
また、漏れ電流が生じると平面型放電管の点灯状態においてちらつきが発生するため、この漏れ電流を極力抑えることが必要となる。この発明によれば、前記放熱用部材の表面（筐体の内面）に接触する平面型放電管の薄膜状電極側を低圧側とすることにより、漏れ電流を極力抑えることができる。
【００２１】
また、請求項５に記載の照明装置は、
請求項１〜４に記載のいずれかのランプユニットと、
前記薄型発光体と電気的に接続することによって、前記ランプのランプユニットの内部、あるいは外部に設けられた同発光体を点灯するための点灯用回路と、
前記ランプユニットを覆うカバー体と、
を設けたことを特徴とする。
【００２２】
この発明によれば、このランプユニットに点灯用回路を接続し、カバー体を設けることによって完成品としての照明装置を構成することが可能となる。
【発明の効果】
【００２３】
以上の発明のランプユニットおよびこれを用いた照明装置によれば、ランプユニットの取付時における光源の破損を防止することが可能なランプユニットおよびこれを用いた照明装置を提供することが可能となる。これに加えて、ランプユニットの取付時において、感電を防止することが可能なランプユニットおよびこれを用いた照明装置を提供することが可能となる。
【発明を実施するための最良の形態】
【００２４】
（第１の実施形態）
図１〜図９は、本発明における第１の実施形態の照明具用基盤としてのランプユニットおよびこれを組み込んだ照明装置を示した図である。図１は、ランプユニット７０の斜視図、図２は、ランプユニット７０の正面図、右側面図、左側面図、平面図、底面図および背面図、図３は、図２に示した平面図における拡大Ａ−Ａ断面図、図４は、図２に示した平面図における拡大Ｂ−Ｂ断面図である。
【００２５】
図５は、ランプユニット７０を利用して構成した照明装置１００の斜視図であり、図６は、照明装置１００の正面図、右側面図、左側面図、平面図、および底面図である。図７は、この照明装置１００の分解斜視図であり、図８は、シャーシ７１の正面図、右側面図、左側面図、平面図、および底面図、図９は、カバー１０１の正面図、右側面図、左側面図、平面図、および底面図である。図６，図８および図９において、背面図は、正面図と左右対称に現れるので省略している
【００２６】
＜ランプユニット＞
照明具用基盤としてのランプユニット７０は、シャーシ７１，平面型放電管７６，点灯用回路基板７５およびレンズ７７の主部品から構成されている（図７参照）。略長形状の金属製薄板からなるシャーシ７１には、短手方向の両側を垂直に折り曲げたシャーシ壁７１ａ，７１ａが設けられ、そのシャーシ壁７１ａ，７１ａには、複数の係止穴７１ｂおよび一対のスリット７１ｃ、７１ｃが形成されている(図７参照）。
【００２７】
平面型放電管７６の裏面（発光面Ｓと反対側の面）７６ａとシャーシ７１の内面７１ｅとの間には、これらの面を接続して固定するための熱伝導性の両面テープ（接合剤）７３が介在している。この接合剤としては、例えば、３Ｍ社の商品名スコッチ・ウェルドＥＷ２０７０等の熱伝導性エポキシ接着剤や、熱伝導性両面テープ等がある。ここで、シャーシ７１は、放熱用部材として構成され、アルミニウムや銅、真鍮などの熱伝導率の大きい金属製材料などからなる。
【００２８】
点灯用回路基板７５の裏面７５ｂとシャーシ７１の内面７１ｅとの間には、ＰＥＴ（ポリエチレンテレフタレート）性の基板固定シート７４と、絶縁シート７２とが介在する。絶縁シート７２に開口された一対の係止穴７２ａ、７２ａに、シャーシ７１に形成された一対のダボ７１ｄ、７１ｄに係止して絶縁シート７２を位置決めする。その後、絶縁シート７２に形成されている矩形穴７２ｂ内に収まるように、両面テープならなる基板固定シート７４をシャーシ７１の内面７１ｅに貼り付け、さらに点灯用回路基板７５に裏面７５ｂを貼り付ける(図７参照）。なお、点灯用回路部品７５ａの表面７５ａには、種々の回路部品および回路パターン（図示しない）が形成されており、平面型放電管７６と点灯用回路基板７５とは、リード線を介して（図示しない）電気的に接続されている。また、絶縁シート７２の両側に形成された一対の絶縁片７２ｃ、７２ｃは、点灯用回路基板７５の帳面７５ａ側に設置されているトランス等の部品と、これらに隣設するシャーシ壁７１ａとの絶縁性を確保するために設けられている。また、平面型放電管７６の表面に形成された薄膜状の透明電極側を高圧側とし、裏面側に形成された薄膜状電極側を低圧側として、シャーシ７１と接続し、照明器具のマイナス側として設置される。
【００２９】
透光性を有する箱形状のレンズ７７は、シャーシ７１に両面テープ７３を介して固定された平面型放電管７６の表面７６ｂ側を、同レンズの内部空間内に覆うようにして、レンズ７７の長手方向の一対の側壁面７７ｂ、７７ｂに形成された複数の係止爪７７ｃを、シャーシ壁７１ａに設けられた係止穴７１ｂに係止することによって固定される（図３参照）。これまでの組立行程によって、ランプユニット７０（図１，図２参照）が完成し、この状態において、シャーシ７１の底面四隅に開口された止め穴７１ｆを利用して、天井や壁なとにネジ等を使用して固定される。そして電源との接続を行いスイッチ７５ｃをＯＮすると、平面型放電管７６の表面７６ｂから一様な光が発光し、レンズ７７の表面を介して外部空間へ光が照射される。
【００３０】
＜照明装置＞
照明装置１００は、ランプユニット７０にカバー１０１を取り付けることによって完成する。即ち、カバー１０１の上面１０１ａには、レンズ７７の上面７７ｄが嵌合するレンズ用矩形穴１０１ｂ、およびスイッチノブ７８を下面から取り付けるためのスイッチ形成穴１０１ｃが形成されている。カバー１０１の内側側面には、レンズ７７の上面７７ｄを位置決めするための複数の位置決めリブ１０１ｄと、カバー１０１本体をシャーシ７１に固定する一対の補助レール１０１ｅが設けられている。この一対の補助レール１０１ｅを、シャーシ壁７１ａに設けられた一対のスリット７１ｃに斜め上方から差し込むことによって係止させて仮固定し、カバー１０１の他端側に開口された固定穴１０１ｆにネジ１０１ｇを通して、シャーシ側雌ネジ７１ｇに螺入して固定する。その後、キャップ１０１ｈをカバー１０１に設置してネジ１０１ｇを抑え覆い隠す。このようにして照明装置１００の取付が完了する（図７および図９参照）。
【００３１】
図１０に示すように、補助レール１０１ｅは、カバー１０１の側壁内面に備えた直方体からなる突条から構成され、点灯用回路基板７５等の部品が設置されている側へ傾斜角度θ１だけ傾いて設けられている。スリット７１ｃは、この補助レール１０１ｅの幅よりも少し大きな幅を有し、この保有角度θ２は、前記傾斜角度θ１と同じ角度である。本実施形態では、θ１＝θ２＝−４５°（時計周りの向きを＋と定義する）であり最も好ましいが、−５０°〜−３０°であっても実現可能である。
【００３２】
カバー１０１が組み込まれた状態では、補助レール１０１ｅの側面１０１ｅａが、スリット７１ｃの側面７１ｃａに当接し面接触することによって固定されている。ここで、カバー１０１の他端側（ネジ１０１ｇによって固定されている側を基端側とする）のみを無理に持ち上げて取り外そうとした場合には、補助レール１０１ｅのもう一方の側面１０１ｅｂが、スリット７１ｃのもう一方の側面７１ｃｂに当接し面接触することによって係止状態を保たれるため、カバー１０１とシャーシ７１との間に隙間ができにくく、容易にはカバーが外れないようになっている。
【００３３】
図２５に示すように、従来の照明装置２００では、筐体２０２にカバー２０１を取り付けるパターンとして以下の方法がある。第１の方法として、筐体２０２の側壁外面に係止爪２０２ｂを設け、カバー２０１の側壁に開口された係止穴２０１ａに、この係止爪２０２ｂを係止させることによって、筐体２０２にカバー２０１が固定される。あるいは、第２の方法として、カバー２０１の側壁内面に係止爪２０１ｂを設け、筐体２０２の側壁に開口された係止穴２０２ａに、この係止爪２０１ｂを係止させることによって、筐体２０２にカバー２０１が固定される。いずれの方法も、筐体２０２にカバー２０１を被せる際に、双方あるいはいずれか一方の部品の弾性変形を利用し、係止完了後には、各部品が弾性復帰して元の形状を保つという性質を利用している。
【００３４】
ところが、修理等のために、カバー２０１を何度も取り外すと、これらの部品の弾性復帰が保たれなくなることがある。特に、自動車に搭載されるような場合には、この照明装置を天井に設置するため、自動車運転時の振動に伴ってカバー２０１が外れ、その自重によってカバー２０１が落下する恐れがある。
【００３５】
しかし、本実施形態の照明装置では、前述のような弾性変形を伴う係止構造を採用してないので、カバー２０１の着脱における経年変化を考慮しなくてもよく、確実な係止状態を確保することができる。また、仮に、自動車運転時の振動等によって、ネジ１０１ｇが緩むことになっても、キャップ１０１ｈによってネジ１０１ｇが抑えられ完全に外れることがないため、補助レール１０１ｅとスリット７１ｃとによる係止状態は依然として保たれるため、カバーが落下することはない。
【００３６】
（第１の実施形態の作用・効果）
以上の構成から、次の作用・効果が把握される。
（１）シャーシ７１の表面７１ｅ側に平面型放電管７６を設けるとともに、シャーシ７１の表面７１ａ側に点灯用回路基板７５を設けることによって、コンパクトで薄く纏まりのあるランプユニットとすることができる。
【００３７】
（２）薄型発光体としての平面型放電管７６の裏面を熱伝導性の接合剤７３を介して、放熱用部材としてのシャーシ７１の表面７１ｅに配置しているので、平面型放電管７６から放射される熱を熱伝導によってシャーシ７１に伝えることができるため、好適に放熱させることができ、その結果、平面型放電管７６の表面温度を低下させることが可能となる。ひいては、薄型発光体の表面に触れても火傷等の心配はなく安全を保つことが可能となる。
【００３８】
（３）点灯用回路基板１２を放熱用部材としてのシャーシ１１の表面７１ｅ側に配置し、シャーシ７１に別部品として取付部材（ＰＥＴ（ポリエチレンテレフタレート）性の基板固定シート７４と、絶縁シート７２）を介して取り付けたので、平面型放電管７６からシャーシ７１に放熱された熱が、熱伝導により、直接、点灯用回路基板７２に伝わることを防止することができるとともに、絶縁性を確保することができる。。ひいては、点灯用回路基板１２に配置されている回路部品１２ａ、１２ｂ、１２ｃ、１２ｄの温度上昇の防止を図ることができるとともに、誤動作の防止や回路部品の寿命を長く保つことが可能となる。
【００３９】
（４）照明具用基盤としてのランプユニット７０にレンズ７７を取り付けた。従来の照明具用基盤（図２２および図２３参照）においては、この照明具用基盤を天井や壁面にネジを使用して取付固定する作業を行う場合、平面型放電管を跨いでボルト締め作業を行う必要があり、乱雑に扱うとドライバ及びレンチ等の工具が平面型放電管に接触して破損するおそれがあった。この構成によれば、平面型放電管を覆うレンズ７７をランプユニットに取り付けたので、誤ってレンズ７７にドライバ及びレンチ等の工具が接触しても光源である平面型放電管に接触して破損することを防止できる。この種の照明装置においては、通常、レンズはカバー側に予め取り付けることが多かった。この構成では、レンズとカバーは別体とし、平面型放電管を覆うようにシャーシ側に取り付けるようにしている。また、平面型放電管７６の表面側に形成される薄膜状の透明電極が高圧側となっているために、ランプユニット７０を取付る際に誤って触れると感電するという問題があった。しかし、レンズ７７を取り付けた状態でランプユニット７０を天井等に組み付ける作業を行うので、平面型放電管７６の表面７６ｂに直に触れることがなく安全である。
【００４０】
（５）平面型放電管７６の表面に形成された薄膜状の透明電極側を高圧側とし、裏面側に形成された薄膜状電極側を低圧側として、シャーシ７１と接続し、照明器具のマイナス側として設置した。平面型放電管７６の高圧側である表面は、前記（４）で述べられているように、レンズ７７で覆われているため、人が直接、触れることはなく、感電することはない。また、裏面側が低圧側となっているため、誤ってシャーシに触れても感電することはない。また、漏れ電流が生じると平面型放電管の点灯状態においてちらつきが発生するため、この漏れ電流を極力抑えることが必要となるが、前記放熱用部材の表面（筐体の内面）に接触する平面型放電管の薄膜状電極側を低圧側となっているため、結果的ではあるが漏れ電流を極力抑えることができる。
（６）カバー１０１の内側側面には、レンズ７７の上面７７ｄを位置決めするための複数の位置決めリブ１０１ｄが設けられているので、照明装置１００を組み立てる際には、レンズの位置決めがされレンズが嵌合されるので、容易に取付が可能となる。
【００４１】
（７）ランプユニット７０にカバー１０１を取り付けて照明装置１００を組み立てる場合、カバー１０１に設けられた一対の補助レール１０１ｅを、シャーシ壁７１ａに設けられた一対のスリット７１ｃに斜め上方から差し込むことによって係止させて仮固定し、カバー１０１の他端側に開口された固定穴１０１ｆにネジ１０１ｇを通して、シャーシ側雌ネジ７１ｇに螺入して固定するようにした。この構成によれば、前記補助レール１０１ｅおよびスリット７１ｃが、シャーシ７１の内面に対して傾斜しているので、ネジ１０１ｇによって固定が完了した後、カバーが外れることはない。また、両端側にネジ固定を行う場合と比較して、ネジが節約できるとともに、ネジ取付部分に必要なスペースをとる必要がないため、コンパクトな照明装置とすることができる。なお、前記補助レール１０１ｄおよびスリット７１ｃと、シャーシ７１の内面（水平面）との間に形成される角度は４５度（点灯用回路基板７５等が搭載される側の水平面から角度を測定した場合）が好ましい。従来、この種の照明装置においては、特に乗用車等の狭い空間内に設置されるという要求から、コンパクトな構成を要求されていた。また、従来と同様な性能を維持しながら、構成する部品点数を可能な限り削減したいという問題があった。
【００４２】
（第２の実施形態）
図１１〜図１９は、本発明における第２の実施形態の照明具用基盤としてのランプユニットおよびこれを組み込んだ照明装置を示した図である。図１１は、ランプユニット７０の斜視図、図１２は、ランプユニット７０’の正面図、右側面図、左側面図、平面図、底面図および背面図、図１３は、図１２に示した平面図における拡大Ａ−Ａ断面図、図１４は、図１２に示した平面図における拡大Ｂ−Ｂ断面図である。
【００４３】
図１５は、ランプユニット７０’を利用して構成した照明装置１００’の斜視図であり、図１６は、照明装置１００’の正面図、右側面図、左側面図、平面図、および底面図である。図１７は、この照明装置１００’の分解斜視図であり、図１８は、シャーシ７１’の正面図、右側面図、左側面図、平面図、および底面図、図１９は、カバー１０１’の正面図、右側面図、左側面図、平面図、および底面図である。図１６，図１８および図１９において、背面図は、正面図と左右対称に現れるので省略している
【００４４】
第２の実施形態は、第１の実施形態と基本的構成において同等であるため、ほぼ同様の構成要素については、第１の実施形態を示す図面（図１〜図９参照）に記載してある符号と同じとし、異なる部分のみに新たな符号を付している（図１１〜図１９参照）。
【００４５】
本実施形態では、レンズ７７の長手方向の両端に一対のチップ保護カバー７７ｅ，７７ｅを設けている。これは、平面型放電管７６の長手方向の両端に設けられている給排気管７６ｃ、７６ｃを保護するために設けられている。本実施形態であるランプユニット１００’を壁や天井等に取り付ける際に、ドライバーやラチェット等の取付工具を平面型放電管７７の給排気管７６ｃ、７６ｃに誤って触れて破損させるような事故を未然に防止することが可能となる。
【００４６】
本実施形態では、カバー１０１本体をシャーシ７１に固定する一対の補助レール１０１’ｅが設けられている。この補助レール１０１’ｅは、第１の実施形態の補助レール１０１ｅと垂直面に対する傾斜方向が反対向きとなっている点が異なっている。この一対の補助レール１０１’ｅを、シャーシ壁７１ａの一端側に設けられたシャーシ傾斜部７１’ｃに係止させることによって仮固定し、カバー１０１の他端側に開口された固定穴１０１ｆにネジ１０１ｇを通して、シャーシ側雌ネジ７１ｇに螺入して固定する。その後、キャップ１０１ｈをカバー１０１に設置してネジ１０１ｇを抑え覆い隠す。このようにして照明装置１００’の取付が完了する（図１７および図１９参照）。
【００４７】
図２０に示すように、補助レール１０１’ｅは、カバー１０１の側壁内面に備えた直方体からなる突条から構成され、点灯用回路基板７５等の部品が設置されている側と反対側へ傾斜角度θ３だけ傾いて設けられている。シャーシ傾斜部７１’ｃの傾斜面７１’ｃａの保有角度θ４は、前記傾斜角度θ３と同じ角度である。本実施形態では、θ３＝θ４＝４５°（時計周りの向きを＋と定義する）であり最も好ましいが、３０°〜５０°であっても実現可能である。
【００４８】
カバー１０１’が組み込まれた状態では、補助レール１０１’ｅの側面１０１ｅａが、シャーシ傾斜部７１’ｃの傾斜面７１’ｃａに当接し面接触することによって固定されている。ここで、カバー１０１’の他端側（ネジ１０１ｇによって固定されている側を基端側とする）のみを無理に持ち上げて取り外そうとした場合には、この傾斜面７１’ｃａが、カバー１０１’ｅａの側面に当接し面接触することによって係止状態を保たれるため、カバー１０１’とシャーシ７１’との間に隙間ができにくく、容易にはカバー１０１’が外れないようになっている。
【００４９】
また、両端側にネジ固定を行う場合と比較して、ネジが節約できるとともに、ネジ取付部分に必要なスペースをとる必要がないため、コンパクトな照明装置とすることができる。  
【００５０】
（応用例等）
ところで、本発明は前記の実施形態に限定するものではなく、本発明の要旨を変更しない範囲で様々な実施が可能である。
・  前記実施形態では、平面型放電管７６の裏面とシャーシ７１の表面７１ｅとは、接着剤（両面テープ）７３を介して固定されているが、このような接着剤層を省略して直接、密着させて固定するようにしてもよい。
【００５１】
・  前記実施形態では、平面型放電管７６の裏面に設けられた薄膜状電極を透明電極としているが、必ずしも透明である必要はない。
・  前記実施形態においては、ランプユニットの表面形状が、略長方形状の箱型形状をしているが、これらに限定するものではなく、薄型発光体の表面形状と相似形にするなどして、表面形状を略正方形、略長方形、略円形等、その他の多角形や楕円型としても良い。
【００５２】
・  前記実施形態において説明した平面型放電管７６は、両外面に透明電極が形成されているとしているが、これに限定するものではなく、透明電極の一方が平面型放電管１１の内部（放電空間内）に形成されているものを採用しても良いし、発光面でない側の透明電極を金属薄膜状電極としても良い。また、他の電極配置を利用した平面型放電管であってもよく、電極の配置には限定されない。
【００５３】
・  前記実施形態においては、薄型発光体として平面型放電管を用いたが、これに限定しなくてもよい。例えば、有機ＥＬや円環型の誘電体バリア放電管を複数並列に並べた平面ユニットを平面型放電管の代わりに用いてもよい。また、例えば、ナノシリコンやナノカーボンなどの電子放出源を用いた電子放出型の平面発光パネルを利用することも可能である。
【００５４】
・  前記実施形態において、２〜３個の熱伝導性の両面テープ７３を用いているが、ひとつでもよく個数には限定されない。しかし、平面型放電管７６の裏面と両面テープ７３との接触する面積が大きいほど、平面型放電管７６から放射される熱は、シャーシ７１側へ放熱しやすくなるという効果を奏する。
【００５５】
・  前記実施形態において、点灯用回路基板７６をシャーシ７１の内面７１ｅに設けたが、これに限定することなく、シャーシ７１の裏面に設けても良いし、あるいは別設置とすることも可能である。
【００５６】
・  レンズ７７は、ポリカーボネイト製であるが、これに限定されない。また、透光性であればよく、ガラスや樹脂等を問わない。
【００５７】
・  前記第１の実施形態において、カバー１０１に一対の補助レール１０１ｅを設け、シャーシ壁７１ａに一対のスリット７１ｃに設けて、補助レール１０１ｅを一対のスリット７１ｃに斜め上方から差し込むことによって係止させて仮固定させるようにしているが、これに限定されず、他の例として、カバー１０１に一対のスリットあるいは凹部（被係止部）を設け、シャーシ壁７１ａに一対の補助レール（係止部）を設けるようにしても、同様の効果を奏する。
【００５８】
次に、前記実施形態等から把握される技術的思想を列挙する。
（Ａ）少なくとも光源（平面型放電管７６）を内部に備えた筐体（シャーシ７１，７１’）からなるランプユニット（１００，１００’）と、前記ランプユニットの内部を覆うカバー体（１０１，１０１’）とを備える照明装置において、
前記カバー体（（１０１，１０１’）の側壁内面および前記筐体の側壁（７１）のいずれか一方に設けられた係止部と、
前記カバー体（（１０１，１０１’）の側壁内面および前記筐体の側壁（７１）のうち、前記係止部が設けられていない他の一方に設けられた被係止部と、を備え、
前記係止部と前記被係止部とを互いに係止することによって、前記ランプユニットの基端側が前記カバー体と一次固定されるとともに、
前記ランプユニットの他端側は、別の固定手段によって固定されることによって前記カバー体と前記ランプユニットとの固定が完了する、
ことを特徴とする照明装置（１００、１００’）。
【００５９】
（Ｂ）前記係止部は前記カバー体（（１０１，１０１’）の側壁内面に設けられるとともに、前記被係止部は前記筐体（７１の側壁に設けられることを特徴とする前記技術的思想（Ａ）に記載の照明装置。
【００６０】
この構成によれば、ランプユニットとカバー体とが組み込まれ照明装置の概観から分かるように、前記係止部と前記被係止部とは、照明装置に内部にあるため、照明装置の外側からこの係止状態を解除することは不可能であり、前記「別の固定手段」を解除して始めて、この係止状態を解除することができる。ここで、他端側における「別の固定手段」とは、前記実施形態において記載したように、カバー１０１の他端側に開口された固定穴１０１ｆにネジ１０１ｇを通して、シャーシ側雌ネジ７１ｇに螺入して固定するようにしても良いし、カバー体と筐体とにそれぞれ係止穴や係止爪を設けた係止手段であってもよく、特別の固定手段に限定されない。
【００６１】
（Ｃ）前記係止部は、前記カバー体の側壁内部に設けられた矩形型の突条であるとともに、当該突条（１０１ｅ、１０１’ｅ）が前記筐体内面に対する垂線に対し傾斜した傾斜角度を有して設けられ、
前記被係止部（７１ｃ、７１’ｃ）には、前記突条の側面が当設する当設面を有し、この当設面の保有角度は、前記突条が有する前記傾斜角度と同じである、
ことを特徴とする前記技術的思想（Ｂ）に記載の照明装置。
【００６２】
この構成によれば、前記突条の側面と、前記被係止部の当設面とが面接触によって係止する。即ち、前記突条の側面と前記被係止部の当設面の傾斜角度を同じにしているので、接触する面が摩擦面となり、より良い係止状態を実現できる。
【００６３】
前記傾斜面角度は、筐体内面の垂線に対し、−３０°〜−５０°あるいは３０°〜５０°であることが好ましい（図１０および図２０参照）。さらに−４５°あるいは４５°であることがより好ましい。この場合、「傾斜角度を有しない」場合とは、傾斜角度が０°であることを指す。即ち、前記突条が筐体内面に対し垂直に長手方向を設けた場合に相当するため、前記技術的思想（Ｃ）には含まれない。
【図面の簡単な説明】
【００６４】
【図１】第１の実施形態におけるランプユニットの斜視図である。
【図２】第１の実施形態におけるランプユニットの正面図、右側面図、左側面図、平面図、底面図および背面図である。
【図３】図２に示した平面図における拡大Ａ−Ａ断面図である。
【図４】図２に示した平面図における拡大Ｂ−Ｂ断面図である。
【図５】第１の実施形態における照明装置の斜視図である。
【図６】第１の実施形態における照明装置の正面図、右側面図、左側面図、平面図、底面図および背面図である。
【図７】第１の実施形態における照明装置の分解斜視図である。
【図８】第１の実施形態における照明装置のシャーシ正面図、右側面図、左側面図、平面図、底面図および背面図である。
【図９】第１の実施形態における照明装置のカバー正面図、右側面図、左側面図、平面図、底面図および背面図である。
【図１０】第１の実施形態におけるカバーとシャーシとの係止構造を示す図である。
【００６５】
【図１１】第２の実施形態におけるランプユニットの斜視図である。
【図１２】第２の実施形態におけるランプユニットの正面図、右側面図、左側面図、平面図、底面図および背面図である。
【図１３】図１２に示した平面図における拡大Ａ−Ａ断面図である。
【図１４】図１２に示した平面図における拡大Ｂ−Ｂ断面図である。
【図１５】第２の実施形態における照明装置の斜視図である。
【図１６】第２の実施形態における照明装置の正面図、右側面図、左側面図、平面図、底面図および背面図である。
【図１７】第２の実施形態における照明装置の分解斜視図である。
【図１８】第２の実施形態における照明装置のシャーシ正面図、右側面図、左側面図、平面図、底面図および背面図である。
【図１９】第２の実施形態における照明装置のカバー正面図、右側面図、左側面図、平面図、底面図および背面図である。
【図２０】第２の実施形態におけるカバーとシャーシとの係止構造を示す図である。
【００６６】
【図２１】特許文献１に記載の平板型照明装置を示す図である。
【図２２】特許文献２に記載の照明具用基盤を示す図である。
【図２３】特許文献３に記載の照明具用基盤を示す図である。
【図２４】従来の平面型放電管の構造を示す図である。
【図２５】従来の照明装置におけるカバーと筐体との係止構造を示す図である。
【符号の説明】
【００６７】
７０，７０’…ランプユニット、７１、７１’…筐体（放熱用部材）としてのシャーシ、７５…点灯用回路基板、７３…熱伝導性の接合剤層としての接合剤（両面テープ）、７６…薄型発光体（光源）としての平面型放電管、Ｓ…発光面、７７…レンズ、１０１，１０１’…カバー体としてのカバー、１００、１００’…照明装置。１０１ｅ、１０１’ｅ…突条（係止部）としての補助レール、７１ｃ…被係止部としてのスリット、７１’ｃ…シャーシ傾斜部、θ１，θ２，θ３，θ４…傾斜角度。
【図１】
2010003664.tif 000003
【図２】
2010003664.tif 000004
【図３】
2010003664.tif 000005
【図４】
2010003664.tif 000006
【図５】
2010003664.tif 000007
【図６】
2010003664.tif 000008
【図７】
2010003664.tif 000009
【図８】
2010003664.tif 000010
【図９】
2010003664.tif 000011
【図１０】
2010003664.tif 000012
【図１１】
2010003664.tif 000013
【図１２】
2010003664.tif 000014
【図１３】
2010003664.tif 000015
【図１４】
2010003664.tif 000016
【図１５】
2010003664.tif 000017
【図１６】
2010003664.tif 000018
【図１７】
2010003664.tif 000019
【図１８】
2010003664.tif 000020
【図１９】
2010003664.tif 000021
【図２０】
2010003664.tif 000022
【図２１】
2010003664.tif 000023
【図２２】
2010003664.tif 000024
【図２３】
2010003664.tif 000025
【図２４】
2010003664.tif 000026
【図２５】
2010003664.tif 000027